(57)【要約】【課題】本発明は、台紙なしラベルとして使用することができると共に、重ねて貼付しても、剥がす際に確実にタンパーカットから破れ、再利用を防止することができる値下げラベルおよびその貼り付け方法を提供することを課題とする。【解決手段】ラベル基材１と、ラベル基材１の裏面に、間隔をおいて帯状に複数列塗工された粘着剤２と、ラベル基材１の表面の、粘着剤２に対向する領域に塗工された剥離剤３とを備え、ラベル基材１の裏面に、粘着剤２が塗工された粘着領域Ｃと粘着剤が塗工されていない非粘着領域Ｄとを、粘着剤２の帯の方向に直交する幅方向に交互に形成させると共に、ラベル基材１の表面に、剥離剤３が塗工された剥離領域Ａと剥離剤３が塗工されていない非剥離領域Ｂとを、幅方向に交互に形成させ、粘着領域Ｃのラベル基材１に第１のタンパーカット４および第２のタンパーカット５を形成する。【選択図】        図１
2010049105.tif 000002
【特許請求の範囲】
【請求項１】
被着体に表示された価格表記上に貼付し、新たな価格を表示させる値下げラベルであって、
表面が新たな価格の表示面として機能すると共に、裏面が前記被着体に貼付する貼付面として機能するラベル基材と、
該ラベル基材の裏面に、間隔をおいて帯状に複数列塗工された粘着剤と、
前記ラベル基材の表面の、裏面に塗工された前記粘着剤に対向する領域に塗工された剥離剤とを具備し、
前記ラベル基材の裏面には、前記粘着剤が塗工された粘着領域と前記粘着剤が塗工されていない非粘着領域とが、前記粘着剤の帯の方向に直交する幅方向に交互に形成されていると共に、前記ラベル基材の表面には、前記剥離剤が塗工された剥離領域と前記剥離剤が塗工されていない非剥離領域とが、幅方向に交互に形成され、
前記粘着領域の前記ラベル基材には、貼替防止用切り込みが形成されていることを特徴とする値下げラベル。
【請求項２】
前記非剥離領域の前記ラベル基材には、貼替防止用切り込みが形成されていることを特徴とする請求項１記載の値下げラベル。
【請求項３】
前記ラベル基材には、前記剥離領域の位置を示す目印が設けられていることを特徴とする請求項１又は２記載の値下げラベル。
【請求項４】
請求項１乃至３のいずれかに記載の値下げラベルを重ねて貼付する貼付方法であって、
前記被着体に貼付されている前記値下げラベル上に、前記剥離領域の幅分、幅方向にずらして新たな前記値下げラベルを貼付させ、
前記被着体に貼付されている前記値下げラベルの前記非剥離領域に、新たな前記値下げラベルの前記粘着領域を貼着させることを特徴とする値下げラベルの貼付方法。
【発明の詳細な説明】
【技術分野】
【０００１】
本発明は、商品等の被着体に表示された価格表記上に貼付し、新たな価格を表示させる値下げラベルおよびその貼付方法に関し、特に台紙を必要としない値下げラベルおよびその貼付方法に関する。
【背景技術】
【０００２】
商品等の被着体に表示された価格表記上に貼付し、新たな価格を表示させる値下げラベルには、タンパーカットと称される貼替防止用切り込みが形成され、一旦貼付した後に剥がすと、タンパーカットから破れて再利用できないようになっている。このようにタンパーカットが形成された値下げラベルは、台紙に仮着されており、この台紙から剥離して使用されるのが一般的であるが、本出願人は、値下げラベルの表面に剥離剤を塗工してロール状に巻き回し、台紙なしラベルとして使用することを提案している（例えば、特許文献１参照）。
【０００３】
しかしながら、値下げラベルの使用方法として、複数回に亘って価格の変更を行う場合に、値下げラベルを重ねて貼付することがあり、従来技術では、値下げラベルの表面全体に剥離剤が塗工されているため、重ねて貼付した値下げラベルを、タンパーカットから破れてしまうことなく、剥がすことができ、再利用されてしまう虞があるという問題点があった。
【０００４】
【特許文献１】特開２００２−１４６１９号公報
【発明の開示】
【発明が解決しようとする課題】
【０００５】
本発明は斯かる問題点に鑑みてなされたものであり、その目的とするところは、台紙なしラベルとして使用することができると共に、重ねて貼付しても、剥がす際に確実にタンパーカットから破れ、再利用を防止することができる値下げラベルおよびその貼り付け方法を提供する点にある。
【課題を解決するための手段】
【０００６】
本発明は上記課題を解決すべく、以下に掲げる構成とした。
請求項１記載の発明の要旨は、被着体に表示された価格表記上に貼付し、新たな価格を表示させる値下げラベルであって、表面が新たな価格の表示面として機能すると共に、裏面が前記被着体に貼付する貼付面として機能するラベル基材と、該ラベル基材の裏面に、間隔をおいて帯状に複数列塗工された粘着剤と、前記ラベル基材の表面の、裏面に塗工された前記粘着剤に対向する領域に塗工された剥離剤とを具備し、前記ラベル基材の裏面には、前記粘着剤が塗工された粘着領域と前記粘着剤が塗工されていない非粘着領域とが、前記粘着剤の帯の方向に直交する幅方向に交互に形成されていると共に、前記ラベル基材の表面には、前記剥離剤が塗工された剥離領域と前記剥離剤が塗工されていない非剥離領域とが、幅方向に交互に形成され、前記粘着領域の前記ラベル基材には、貼替防止用切り込みが形成されていることを特徴とする値下げラベルに存する。
また請求項２記載の発明の要旨は、前記非剥離領域の前記ラベル基材には、貼替防止用切り込みが形成されていることを特徴とする請求項１記載の値下げラベルに存する。
また請求項３記載の発明の要旨は、前記ラベル基材には、前記剥離領域の位置を示す目印が設けられていることを特徴とする請求項１又は２記載の値下げラベルに存する。
また請求項４記載の発明の要旨は、請求項１乃至３のいずれかに記載の値下げラベルを重ねて貼付する貼付方法であって、前記被着体に貼付されている前記値下げラベル上に、前記剥離領域の幅分、幅方向にずらして新たな前記値下げラベルを貼付させ、前記被着体に貼付されている前記値下げラベルの前記非剥離領域に、新たな前記値下げラベルの前記粘着領域を貼着させることを特徴とする値下げラベルの貼付方法に存する。
【発明の効果】
【０００７】
本発明の値下げラベルは、表面が新たな価格の表示面として機能すると共に、裏面が被着体に貼付する貼付面として機能するラベル基材と、ラベル基材の裏面に、間隔をおいて帯状に複数列塗工された粘着剤と、ラベル基材の表面の、裏面に塗工された粘着剤に対向する領域に塗工された剥離剤とを備え、ラベル基材の裏面に、粘着剤が塗工された粘着領域と粘着剤が塗工されていない非粘着領域とを、粘着剤の帯の方向に直交する幅方向に交互に形成させると共に、ラベル基材の表面に、剥離剤が塗工された剥離領域と剥離剤が塗工されていない非剥離領域とを、幅方向に交互に形成させ、粘着領域のラベル基材に貼替防止用切り込みを形成することにより、粘着剤の帯の方向に繋がったラベル連続体として、ラベル基材の表面を外側にしてロール状に巻き回すと、ラベル基材の表面に塗工された剥離剤に、外側に巻き回されるラベル基材の裏面に塗工された粘着剤が仮着されることになるため、台紙なしラベルとして使用することができると共に、重ねて貼付する際に、すでに貼付されている値下げラベルの剥離領域分、幅方向にずらして新たな値下げラベルを貼付することで、新たな値下げラベルの貼替防止用切り込みが形成された粘着領域が、すでに貼付されている値下げラベルの剥離領域以外の非剥離領域や被着体に貼着されるため、重ねて貼付しても、新たな値下げラベルを剥がす際に確実に貼替防止用切り込みから破れ、再利用を防止することができるという効果を奏する。
【０００８】
さらに、本発明の値下げラベルは、非剥離領域のラベル基材に貼替防止用切り込みを形成することにより、重ねて貼付する際に、すでに貼付されている値下げラベルの剥離領域分、幅方向にずらして新たな値下げラベルを貼付することで、新たな値下げラベルの粘着領域が、すでに貼付されている値下げラベルの貼替防止用切り込みが形成された非剥離領域に貼着されるため、新たな値下げラベルを剥がすと、すでに貼付されている値下げラベルが貼替防止用切り込みから破れ、剥がした痕跡が残るという効果を奏する。
【０００９】
さらに、本発明の値下げラベルは、ラベル基材に剥離領域の位置を示す目印を設けることにより、重ねて貼付する際に、ずらす量を簡単に把握することができるという効果を奏する。
【発明を実施するための最良の形態】
【００１０】
以下、本発明の実施の形態を図面に基づいて詳細に説明する。
【００１１】
図１は、本発明に係る値下げラベルの実施の形態の構成を示す図であり、（ａ）は、表面図、（ｂ）は、側面図であり、（ｃ）は、裏面図である。図２は、図１に示すタンパーカットの他の形状例を示す表面図であり、図３は、本発明に係る値下げラベルの実施の形態がロール状に巻き回された状態を示す図であり、（ａ）は、斜視図であり、（ｂ）は、値下げラベルが積層された状態を説明する説明図である。
【００１２】
本実施の形態の値下げラベル１０は、商品等の被着体に直接もしくはラベル等を用いて表示された価格表記上に貼付することで、価格の変更（マークダウン）を行って新たな値下げ価格を表示させる矩形状のラベルであり、図１を参照すると、矩形上のラベル基材１と、被着体に貼着する貼着面であるラベル基材１の裏面に、すじ状、すなわち間隔をおいて帯状に複数列塗工された粘着剤２と、ラベル基材１の表面、すなわち値下げ価格等の表示が表示される表示面に、少なくとも裏面に塗工された粘着剤２に対向する領域を含むように、すじ状、すなわち間隔をおいて帯状に複数列塗工された剥離剤３とを備え、ラベル基材１の表面は、図１（ａ）を参照すると、剥離剤３が塗工された帯状の剥離領域Ａと、剥離剤３が塗工されていない帯状の非剥離領域Ｂとが、幅方向において交互に並んで形成されていると共に、図１（ｃ）を参照すると、ラベル基材１の裏面は、粘着剤２が塗布された帯状の粘着領域Ｃと、粘着剤２が塗布されていない帯状の非粘着領域Ｄとが、幅方向において交互に並んで形成されている。なお、本実施の形態では、塗工されている粘着剤２の帯の方向、すなわち図１（ａ）および（ｂ）に示す上下方向を縦方向と称し、縦方向に直交する図１（ａ）および（ｂ）に示す左右方向を幅方向と称す。
【００１３】
ラベル基材１には、ポリエステル樹脂、ポリエチレン樹脂、ポリプロピレン樹脂等のフィルムや、ネーマ、合成紙等の二次加工フィルム、上質紙、コート紙、厚紙、含浸紙等の紙素材のもの、あるいは金属箔等、一般にラベルとして用いられる任意基材を用いることができる。
【００１４】
粘着剤２としては、例えばエマルジョン系、ソルベント系、ホットメルト系のように任意の粘着剤が使用可能であると共に、素材も、アクリル系、ゴム系など任意であり、また、粘着剤の強さも強粘タイプや弱粘タイプなど任意である。
【００１５】
剥離剤３としては、例えばシリコーン樹脂を用いることができ、シリコーン樹脂として、溶剤型、無溶剤型、エマルジョン型のいずれを用いるようにしても良い。また、ラベル基材１の材質に応じて、剥離剤３のラベル基材１への染み込みを防止するポリエチレン等の目留め層を設けるようにしても良い。
【００１６】
本実施の形態では、粘着剤２は、図１（ｃ）を参照すると、それぞれ同一の幅の３本の帯としてラベル基材１の裏面に塗工されており、２つの粘着領域Ｃが幅方向の両端部にそれぞれ形成されていると共に、残りの粘着領域Ｃが、非粘着領域Ｄを介して幅方向の略中央に形成されている。また、剥離剤３は、図１（ａ）を参照すると、粘着領域Ｃの幅よりも若干広い幅の３本の帯としてラベル基材１の表面に塗工されており、２つの剥離領域Ａが幅方向の両端部に、ラベル基材１の裏面に塗工されている粘着領域Ｃと対向してそれぞれ形成されていると共に、残りの剥離領域Ａが非剥離領域Ｂを介して幅方向の略中央に、ラベル基材１の裏面に塗工されている粘着領域Ｃと対向して形成されている。
【００１７】
ラベル基材１の幅方向の両端部にそれぞれ形成されている粘着領域Ｃには、両端から内側に向けて形成された貼替防止用切り込みが第１のタンパーカット４としてそれぞれ形成されていると共に、ラベル基材１の幅方向の中央部分に形成されている粘着領域Ｃには、放射状に広がる複数の貼替防止用切り込みが第２のタンパーカット５として形成されている。また、ラベル基材１の２つの非剥離領域Ｂには、放射状に広がる複数の貼替防止用切り込みが第３のタンパーカット６としてそれぞれ形成されている。なお、第１のタンパーカット４の本数や角度は、適宜設定することができ、また、第２のタンパーカット５および第３のタンパーカット６の形状も、図２（ａ）乃至（ｄ）に示すように、適宜設定することができる。
【００１８】
図３（ａ）を参照すると、値下げラベル１０は、ミシン目やマイクロミシン等の切断加工線７を介して縦方向に繋がったラベル連続体として、さらに、台紙に仮着させることなく、剥離剤３が塗工されたラベル基材１の表面を外側にしてロール状に巻き回した台紙なしラベルとして提供される。ロール状に巻き回された状態では、図３（ａ）に示すように、各値下げラベル１０に塗工された粘着剤２および剥離剤３は、幅方向の同一箇所に位置することになるため、図３（ｂ）に示すように、巻き回されて積層された値下げラベル１０は、ラベル基材１の表面に塗工された剥離剤３に、外側に巻き回されるラベル基材１の裏面に塗工された粘着剤２が仮着されることになり、ラベル基材１に形成された第１のタンパーカット４、第２のタンパーカット５および第３のタンパーカット６から破れることなく、値下げラベル１０を剥がして引き出すことができるようになっている。
【００１９】
次に、本実施の形態の使用方法について図４乃至図６を参照して詳細に説明する。
図４は、図１に示す値下げラベルの被着体への貼付方法を説明するための説明図であり、図５は、図１に示す値下げラベルを重ねて貼付する貼付方法を説明するための説明図であり、図６は、図１に示す値下げラベルを重ねて貼付する際の目印例を示す表面図である。
【００２０】
図４（ａ）を参照すると、商品等の被着体２０に直接、もしくは表面に剥離剤が塗工されていない通常のラベルを用いて表示された価格やバーコード等の価格表記２１を変更させる場合には、図示しないプリンタ等を用いて値下げラベル１０の表面に値下げする新たな価格やバーコード（図示せず）を表示させ、矢印で示すように、被着体２０に表示された価格表記２１上に値下げラベル１０を貼付する。なお、図４（ａ）では、価格とバーコードとからなる価格表記２１上に１枚の値下げラベル１０を貼付するように構成したが、幅方向に形成され、値下げラベル１０を縦方向に分断するミシン目やマイクロミシン等の分断加工線を設け、当該分断加工線で値下げラベル１０を分断することで、価格上とバーコード上とにそれぞれ貼付するようにしても良く、この場合には、価格とバーコードとが離れた位置に表示されている場合にも対応することができる。
【００２１】
これにより、図４（ｂ）に示すように、ラベル基材１の裏面に塗工された粘着剤２が被着体２０に貼着されることになり、被着体２０に貼付された値下げラベル１０を剥がそうとする場合には、粘着剤２が塗工された粘着領域Ｃに形成されている第１のタンパーカット４および第２のタンパーカット５からラベル基材１が破れ、剥がした値下げラベル１０の再利用を防止することができるようになっている。
【００２２】
次に、値下げラベル１０を貼付して値下げを行った後、さらに価格を変更させる場合には、図５（ａ）を参照すると、新たな値下げラベル１０（以下、新値下げラベル１０ａと称す）の表面に値下げする新たな価格やバーコード（図示せず）を表示させ、すでに貼付されている値下げラベル１０（以下、貼付済み値下げラベル１０ｂと称す）上に、貼付済み値下げラベル１０ｂの端部に形成されている剥離領域Ａ分、幅方向にずらして貼付する。これにより、図５（ｂ）に示すように、新値下げラベル１０ａの裏面の幅方向の両端部に形成されている粘着領域Ｃの少なくとも第１のタンパーカット４が形成されている箇所が、貼付済み値下げラベル１０ｂの表面に形成されている非剥離領域Ｂと、被着体２０とにそれぞれ貼着される。また、新値下げラベル１０ａを、貼付済み値下げラベル１０ｂの端部に形成されている剥離領域Ａ分幅方向にずらして貼付することで、新値下げラベル１０ａの表面における幅方向の中央部分に形成されている粘着領域Ｃも、少なくとも第２のタンパーカット５が形成されている箇所が、貼付済み値下げラベル１０ｂの表面に形成されている非剥離領域Ｂに貼着されるように、剥離剤３の塗工領域が設定されており、第２のタンパーカット５が形成されている粘着領域Ｃは、図５（ｂ）に示すように、貼付済み値下げラベル１０ｂの表面に形成されている非剥離領域Ｂに貼着される。
【００２３】
従って、貼付した新値下げラベル１０ａを剥がそうとした場合には、新値下げラベル１０ａの粘着領域Ｃが貼付済み値下げラベル１０ｂの非剥離領域Ｂおよび被着体２０にそれぞれ貼着されているため、新値下げラベル１０ａは、粘着領域Ｃに形成されている第１のタンパーカット４および第２のタンパーカット５からラベル基材１が破れるようになっていると共に、貼付済み値下げラベル１０ｂは、貼付済み値下げラベル１０ｂの非剥離領域Ｂに形成されている第２のタンパーカット５からラベル基材１が破れるようになっており、剥がした新値下げラベル１０ａの再利用を防止することができると共に、貼付済み値下げラベル１０ｂに剥がした痕跡が残るようになっている。
【００２４】
なお、本実施の形態では、貼付済み値下げラベル１０ｂ上に新値下げラベル１０ａを重ねて貼付する例について説明したが、幅方向にずらす方向は、左右いずれでも良く、さらに、上述の手順で複数枚の値下げラベル１０を重ねて貼付することができ、何度でも価格の変更を行うことが可能である。
【００２５】
また、剥離剤３としては、一般的に透明な素材が用いられるため、貼付済み値下げラベル１０ｂの端部に形成されている剥離領域Ａ分、幅方向にずらして新値下げラベル１０ａを貼付する際の目安として、図６（ａ）に示すように、値下げラベル１０の端部に形成されている剥離領域Ａの位置を示すマーク８や、図６（ｂ）に示すように、値下げラベル１０の端部に形成されている剥離領域Ａの位置を示す切り欠き９を目印として設けると好適である。
【００２６】
以上説明したように、本実施の形態によれば、表面が新たな価格の表示面として機能すると共に、裏面が被着体２０に貼付する貼付面として機能するラベル基材１と、ラベル基材１の裏面に、間隔をおいて帯状に複数列塗工された粘着剤２と、ラベル基材１の表面の、裏面に塗工された粘着剤２に対向する領域に塗工された剥離剤３とを備え、ラベル基材１の裏面に、粘着剤２が塗工された粘着領域Ｃと粘着剤が塗工されていない非粘着領域Ｄとを、粘着剤２の帯の方向に直交する幅方向に交互に形成させると共に、ラベル基材１の表面に、剥離剤３が塗工された剥離領域Ａと剥離剤３が塗工されていない非剥離領域Ｂとを、幅方向に交互に形成させ、粘着領域Ｃのラベル基材１に第１のタンパーカット４および第２のタンパーカット５を形成することにより、粘着剤２の帯の方向に繋がったラベル連続体として、ラベル基材１の表面を外側にしてロール状に巻き回すと、ラベル基材１の表面に塗工された剥離剤３に、外側に巻き回されるラベル基材１の裏面に塗工された粘着剤２が仮着されることになるため、台紙なしラベルとして使用することができると共に、重ねて貼付する際に、貼付済み値下げラベル１０ｂの剥離領域Ａ分、幅方向にずらして新値下げラベル１０ａを貼付することで、新値下げラベル１０ａの第１のタンパーカット４および第２のタンパーカット５が形成された粘着領域Ｃが、貼付済み値下げラベル１０ｂの剥離領域Ａ以外の非剥離領域Ｂや被着体２０に貼着されるため、重ねて貼付しても、新値下げラベル１０ａを剥がす際に確実に第１のタンパーカット４および第２のタンパーカット５から破れ、再利用を防止することができるという効果を奏する。
【００２７】
さらに、本実施の形態によれば、非剥離領域Ｂのラベル基材１に第３のタンパーカット６を形成することにより、重ねて貼付する際に、貼付済み値下げラベル１０ｂの剥離領域Ａ分、幅方向にずらして新値下げラベル１０ａを貼付することで、新値下げラベル１０ａの粘着領域Ｃが、貼付済み値下げラベル１０ｂの第３のタンパーカット６が形成された非剥離領域Ｂに貼着されるため、新値下げラベル１０ａを剥がすと、貼付済み値下げラベル１０ｂが第３のタンパーカット６から破れ、剥がした痕跡が残るという効果を奏する。
【００２８】
さらに、本実施の形態によれば、ラベル基材１に剥離領域Ａの位置を示す目印を設けることにより、重ねて貼付する際に、ずらす量を簡単に把握することができるという効果を奏する。
【００２９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３０】
【図１】本発明に係る値下げラベルの実施の形態の構成を示す図であり、（ａ）は、表面図、（ｂ）は、側面図であり、（ｃ）は、裏面図である。
【図２】図１に示すタンパーカットの他の形状例を示す表面図である。
【図３】本発明に係る値下げラベルの実施の形態がロール状に巻き回された状態を示す図であり、（ａ）は、斜視図であり、（ｂ）は、値下げラベルが積層された状態を説明する説明図である。
【図４】図１に示す値下げラベルの被着体への貼付方法を説明するための説明図である。
【図５】図１に示す値下げラベルを重ねて貼付する貼付方法を説明するための説明図である。
【図６】図１に示す値下げラベルを重ねて貼付する際の目印例を示す表面図である。
【符号の説明】
【００３１】
１  ラベル基材
２  粘着剤
３  剥離剤
４  第１のタンパーカット
５  第２のタンパーカット
６  第３のタンパーカット
７  切断加工線
８  マーク
９  切り欠き
１０  値下げラベル
１０ａ  新値下げラベル
１０ｂ  貼付済み値下げラベル
２０  被着体
２１  価格表記
【図１】
2010049105.tif 000003
【図２】
2010049105.tif 000004
【図３】
2010049105.tif 000005
【図４】
2010049105.tif 000006
【図５】
2010049105.tif 000007
【図６】
2010049105.tif 000008
【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
被着体に表示された価格表記上に貼付し、新たな価格を表示させる値下げラベルであって、表面が新たな価格の表示面として機能すると共に、裏面が前記被着体に貼付する貼付面として機能するラベル基材と、該ラベル基材の裏面に、間隔をおいて帯状に複数列塗工された粘着剤と、前記ラベル基材の表面の、裏面に塗工された前記粘着剤に対向する領域に塗工された剥離剤とを具備し、前記ラベル基材の裏面には、前記粘着剤が塗工された粘着領域と前記粘着剤が塗工されていない非粘着領域とが、前記粘着剤の帯の方向に直交する幅方向に交互に形成されていると共に、前記ラベル基材の表面には、前記剥離剤が塗工された剥離領域と前記剥離剤が塗工されていない非剥離領域とが、幅方向に交互に形成され、前記粘着領域の前記ラベル基材には、貼替防止用切り込みが形成され、前記剥離領域の前記ラベル基材には、前記剥離領域の位置を示す目印が設けられていることを特徴とする値下げラベル。
【請求項２】
前記非剥離領域の前記ラベル基材には、貼替防止用切り込みが形成されていることを特徴とする請求項１記載の値下げラベル。
【請求項３】
請求項１乃至２のいずれかに記載の値下げラベルを重ねて貼付する貼付方法であって、
前記被着体に貼付されている前記値下げラベル上に、前記剥離領域の幅分、幅方向にずらして新たな前記値下げラベルを貼付させ、前記被着体に貼付されている前記値下げラベルの前記非剥離領域に、新たな前記値下げラベルの前記粘着領域を貼着させることを特徴とする値下げラベルの貼付方法。
【手続補正２】
【補正対象書類名】明細書
【補正対象項目名】０００６
【補正方法】変更
【補正の内容】
【０００６】
本発明は上記課題を解決すべく、以下に掲げる構成とした。
請求項１記載の発明の要旨は、被着体に表示された価格表記上に貼付し、新たな価格を表示させる値下げラベルであって、表面が新たな価格の表示面として機能すると共に、裏面が前記被着体に貼付する貼付面として機能するラベル基材と、該ラベル基材の裏面に、間隔をおいて帯状に複数列塗工された粘着剤と、前記ラベル基材の表面の、裏面に塗工された前記粘着剤に対向する領域に塗工された剥離剤とを具備し、前記ラベル基材の裏面には、前記粘着剤が塗工された粘着領域と前記粘着剤が塗工されていない非粘着領域とが、前記粘着剤の帯の方向に直交する幅方向に交互に形成されていると共に、前記ラベル基材の表面には、前記剥離剤が塗工された剥離領域と前記剥離剤が塗工されていない非剥離領域とが、幅方向に交互に形成され、前記粘着領域の前記ラベル基材には、貼替防止用切り込みが形成され、前記剥離領域の前記ラベル基材には、前記剥離領域の位置を示す目印が設けられていることを特徴とする値下げラベルに存する。また請求項２記載の発明の要旨は、前記非剥離領域の前記ラベル基材には、貼替防止用切り込みが形成されていることを特徴とする請求項１記載の値下げラベルに存する。また請求項３記載の発明の要旨は、請求項１乃至２のいずれかに記載の値下げラベルを重ねて貼付する貼付方法であって、前記被着体に貼付されている前記値下げラベル上に、前記剥離領域の幅分、幅方向にずらして新たな前記値下げラベルを貼付させ、前記被着体に貼付されている前記値下げラベルの前記非剥離領域に、新たな前記値下げラベルの前記粘着領域を貼着させることを特徴とする値下げラベルの貼付方法に存する。